(57)【要約】      （修正有）【課題】従来よりも操作性の良い加熱調理器を提供する。【解決手段】本体と、本体が設けられる空間の温度を検出する温度センサと、本体に設けられ、静電容量式の操作手段と、操作手段の操作内容に基づいて各種制御を行う制御手段と、を備え、制御手段は、操作手段の操作の有無を判定する基準となる閾値ｔｈを記憶し、操作手段を操作したときの静電容量の基準値からの変化値が閾値ｔｈを超えた場合に操作手段の操作を有効と判定するものであり、温度センサの検出温度が相対的に高い場合における閾値が温度センサの検出温度が相対的に低い場合における閾値よりも大きくなるように閾値を調整する。【選択図】図５
2016196993.tif 000002
【特許請求の範囲】
【請求項１】
本体と、
前記本体が設けられる空間の温度を検出する温度センサと、
前記本体に設けられ、静電容量式の操作手段と、
前記操作手段の操作内容に基づいて各種制御を行う制御手段と、を備え、
前記制御手段は、
前記操作手段の操作の有無を判定する基準となる閾値を記憶し、前記操作手段を操作したときの静電容量の基準値からの変化値が前記閾値を超えた場合に前記操作手段の操作を有効と判定するものであり、前記温度センサの検出温度が相対的に高い場合における前記閾値が前記温度センサの検出温度が相対的に低い場合における前記閾値よりも大きくなるように前記閾値を調整する
ことを特徴とする加熱調理器。
【請求項２】
被加熱物を加熱する加熱手段をさらに備え、
前記制御手段は、
前記加熱手段を駆動させる前及び前記加熱手段を駆動させた後に前記閾値を調整する
ことを特徴とする請求項１に記載の加熱調理器。
【請求項３】
前記温度センサは前記本体の前面側又は前記本体の背面側に設けられている
ことを特徴とする請求項１又は請求項２に記載の加熱調理器。
【発明の詳細な説明】
【技術分野】
【０００１】
本発明は、加熱調理器に関し、特に静電容量式の操作手段を備えた加熱調理器に関する。
【背景技術】
【０００２】
従来、例えば、静電容量式の操作スイッチを備えた加熱調理器があった（特許文献１参照）。
【先行技術文献】
【特許文献】
【０００３】
【特許文献１】特許第４３９２８６５号公報
【発明の概要】
【発明が解決しようとする課題】
【０００４】
しかしながら、特許文献１に記載の加熱調理器においては、環境温度の変化に応じて操作手段の反応感度が変化するものではない。このため、特許文献１に記載の加熱調理器においては、環境温度が急激に変化した場合において、環境温度が変化する前後で、操作手段の操作の反応感度が大きく変化してしまい、使用者の意図通りに操作手段の操作が反映されない場合があった。したがって、操作性が良くないという課題があった。
【０００５】
本発明は、上述のような課題を背景としてなされたもので、従来よりも操作性の良い加熱調理器を得ることを目的としている。
【課題を解決するための手段】
【０００６】
本発明の加熱調理器は、本体と、前記本体が設けられる空間の温度を検出する温度センサと、前記本体に設けられ、静電容量式の操作手段と、前記操作手段の操作内容に基づいて各種制御を行う制御手段と、を備え、前記制御手段は、前記操作手段の操作の有無を判定する基準となる閾値を記憶し、前記操作手段を操作したときの静電容量の基準値からの変化値が前記閾値を超えた場合に前記操作手段の操作を有効と判定するものであり、前記温度センサの検出温度が相対的に高い場合における前記閾値が前記温度センサの検出温度が相対的に低い場合における前記閾値よりも大きくなるように前記閾値を調整するものである。
【発明の効果】
【０００７】
本発明によれば、制御手段は、操作手段の操作の有無を判定する基準となる閾値を記憶し、操作手段を操作したときの静電容量の基準値からの変化値が閾値を超えた場合に操作手段の操作を有効と判定するものであり、温度センサの検出温度が相対的に高い場合における閾値が温度センサの検出温度が相対的に低い場合における閾値よりも大きくなるように閾値を調整するものである。このため、環境温度の変化に応じて操作手段の操作の反応感度を変化させることができる。したがって、従来よりも操作性の良い加熱調理器を得ることができる。
【図面の簡単な説明】
【０００８】
【図１】本発明の実施の形態１に係る加熱調理器１００を示す概略図である。
【図２】本発明の実施の形態１に係る加熱調理器１００の制御ブロック図である。
【図３】本発明の実施の形態１に係る加熱調理器１００の時間経過に伴う静電容量値の変化を示す図である。
【図４】本発明の実施の形態１に係る加熱調理器１００の環境温度と閾値ｔｈとの関係を示す図である。
【図５】本発明の実施の形態１に係る加熱調理器１００を示す制御フローチャートの第１の例を示す。
【図６】本発明の実施の形態１に係る加熱調理器１００を示す制御フローチャートの第２の例を示す。
【発明を実施するための形態】
【０００９】
以下、本発明の加熱調理器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る加熱調理器１００を示す概略図である。図２は本発明の実施の形態１に係る加熱調理器１００の制御ブロック図を示す。なお、図１の実線両矢印方向が加熱調理器１００の前後方向であるものとする。また、図１の破線両矢印方向が加熱調理器１００の左右方向であるものとする。
【００１１】
図１，図２に示されるように、加熱調理器１００は、本体１と、天板２と、上面操作部８と、前面操作部９と、温度センサ３０と、制御手段５０と、インバータ回路５９と、加熱手段６０と、報知手段７０と、を備える。
【００１２】
本体１は、加熱調理を行う際に必要となる各種部材を収納する部材である。本体１の上面には天板２が設けられている。天板２には、鍋等の被加熱物を載置するための位置を示す左加熱口３、右加熱口４及び中央加熱口５が形成されている。本体１の前部上面には、各種操作を行うための上面操作部８が設けられている。上面操作部８は、例えば、静電容量式の操作部で構成されている。本体１の右前面部には、火力調整等を行うための前面操作部９が設けられている。前面操作部９は、例えば、ダイヤル式の操作部で構成されている。なお、前面操作部９は、ダイヤル式のものではなく、上面操作部８と同様に静電容量式のもので構成されていてもよい。なお、上面操作部８及び前面操作部９を操作手段１０と総称することがあるものとする。操作手段１０の入力情報は制御手段５０に入力される。
【００１３】
温度センサ３０は、環境温度を測定する温度検出手段であり、例えばサーミスタで構成される。ここで、環境温度とは、例えば、加熱調理器１００が設けられる空間の温度を指している。温度センサ３０は、例えば、天板２の下方に設けられている。温度センサ３０は、本体１内で、加熱手段６０の発生する熱や、インバータ回路５９等の回路部品を冷却する冷却風の風路等の熱の影響を受けないところに配置することが望ましい。温度センサ３０は、例えば、加熱調理器１００の電源起動された場合に環境温度を測定する。温度センサ３０の検出情報は制御手段５０に入力される。
【００１４】
制御手段５０は、例えば、操作手段１０の入力情報及び温度センサ３０の検出情報に基づいて、インバータ回路５９、加熱手段６０、及び報知手段７０を制御するものである。制御手段５０は、例えば、この機能を実現する回路デバイスなどのハードウェア、又はマイコン若しくはＣＰＵなどの演算装置上で実行されるソフトウェアで構成される。制御手段５０は、各種情報を記憶する記憶手段５０ａを有する。記憶手段５０ａは、操作手段１０の操作の有無を判定する基準となる閾値ｔｈを記憶している。
【００１５】
制御手段５０は、操作手段１０を操作したときの静電容量の基準値からの変化値が閾値ｔｈを超えた場合に操作手段１０の操作を有効と判定し、操作手段１０を操作したときの静電容量の基準値からの変化値が閾値ｔｈ未満の場合に操作手段１０の操作を無効と判定する。ここで、静電容量の基準値とは、例えば、静電容量が０を指すものとする。制御手段５０は、温度センサ３０の温度が低いほど、閾値ｔｈを小さくし、温度センサ３０の温度が高いほど、閾値ｔｈを大きくする。すなわち、制御手段５０は、温度センサ３０の検出温度が相対的に高い場合における閾値ｔｈが温度センサ３０の検出温度が相対的に低い場合における閾値ｔｈよりも大きくなるように閾値ｔｈを調整する。
【００１６】
インバータ回路５９は、本体１内部に設けられている駆動手段である。インバータ回路５９は、制御手段５０から出力された信号に基づいて加熱手段６０に個別に高周波電流を供給し、各加熱口に置かれた被加熱物を誘導加熱する。加熱手段６０は、左加熱口３、右加熱口４、中央加熱口５にそれぞれ対応して設けられている。
【００１７】
報知手段７０は、本体１内部に設けられ、制御手段５０から出力された制御信号に基づいて加熱調理器１００の動作状態に関する情報を出力するものである。例えば、報知手段７０は、音声（ガイド音声）を出力するスピーカーである。また例えば、報知手段７０は、ＬＥＤ、ＬＣＤ等で構成される表示手段である。なお、報知手段７０が音声を出力する構成となっている場合には、音声は予め設定されている音量又は使用者により設定された音量で出力される。また、報知手段７０が音声を出力する構成となっている場合には、音量は複数段階に設定できるようになっている。
【００１８】
図３は本発明の実施の形態１に係る加熱調理器１００の時間経過に伴う静電容量値の変化を示す図である。図３の横軸には時間が規定されている。また、図３の紙面左側の縦軸には静電容量の基準値からの変化値が規定されている。また、図３の紙面右側の縦軸には操作手段１０の操作判定結果が規定されている。なお、図３中の（１）は、操作手段１０に触れて生じた静電容量の基準値からの変化を示している。また、図３中の（２）は、操作手段１０の操作判定がＯＮ及びＯＦＦの場合を示している。
【００１９】
図３に示されるように、時間ｔ１において、使用者が操作手段１０に触れた場合に静電容量値が所定値変化する。そして、制御手段５０は、使用者が操作手段１０を操作して生じた静電容量の基準値からの変化値が、所定時間だけ、閾値ｔｈ以上であるか否か判定する。
【００２０】
制御手段５０は、使用者が操作手段１０を操作して生じた静電容量の基準値からの変化値が、所定時間だけ、閾値ｔｈ以上であると判定した場合には、操作手段１０の操作を有効と判定する（時間ｔ２）。制御手段５０は、使用者が操作手段１０を操作して生じた静電容量の基準値からの変化値が、所定時間だけ、閾値ｔｈ未満である場合には、操作手段１０の操作を無効と判定する（時間ｔ３）。
【００２１】
なお、使用者が操作手段１０を操作して生じた静電容量の基準値からの変化値が閾値ｔｈを超えたか否かを判定するために、ヒステリシス値を導入するようにしてもよい。具体的には例えば、制御手段５０は、使用者が操作手段１０を操作して生じた静電容量の基準値からの変化値が、所定時間だけ、閾値ｔｈにヒステリシス値を加えた値以上であるとしたと判定した場合には、操作手段１０の操作を有効と判定する。また例えば、制御手段５０は、使用者が操作手段１０を操作して生じた静電容量の基準値からの変化値が、所定時間だけ、閾値ｔｈからヒステリシス値を減じた値以下であると判定した場合には、操作手段１０の操作を無効と判定する。
【００２２】
図４は本発明の実施の形態１に係る加熱調理器１００の環境温度と閾値ｔｈとの関係を示す図である。図４の横軸には環境温度（℃）を規定している。また、図４の縦軸にＯＮ判定の閾値ｔｈが規定されており、具体例としてＸ１，Ｘ２，Ｘ３が規定されている。なお、閾値Ｘ１，Ｘ２，Ｘ３の大小関係は、Ｘ１＞Ｘ２＞Ｘ３となっている。
【００２３】
図４に示されるように、環境温度が−５℃以下である場合に閾値ｔｈはＸ３となる。また、図４に示されるように、環境温度が−５℃よりも大きく且つ５℃以下である場合に閾値ｔｈはＸ２となる。また、図４に示されるように、環境温度が５℃を超えた場合に閾値ｔｈはＸ１となる。このように、図４においては、環境温度が高い程閾値ｔｈが大きくなる例が示されている。これにより、環境温度に応じて閾値ｔｈを設定することができる。なお、図４においては、閾値ｔｈが環境温度に応じて段階的に変化する例について説明したが、これに限定されない。例えば線形に変化するようにしてもよいし、また例えば曲線的に変化するようにしてもよい。
【００２４】
図５は本発明の実施の形態１に係る加熱調理器１００を示す制御フローチャートの第１の例を示す。以下に、本実施の形態１に係る加熱調理器１００の制御フローチャートの第１の例について、図５のステップＳ１０〜ステップＳ５０を参照して説明する。加熱調理器１００の電源が起動されると、ステップＳ１０に移行する。
【００２５】
ステップＳ１０において、制御手段５０は、閾値自動制御が有効であるか否か判定する。ここで、閾値自動制御とは、図４において説明したような、閾値ｔｈが環境温度に応じて変化するような制御を行うことを意味している。
ステップＳ１０において、制御手段５０は、閾値自動制御が有効であると判定した場合には（ステップＳ１０においてＹＥＳ）、ステップＳ２０に移行する。ステップＳ２０において、温度センサ３０は、環境温度を検出してステップＳ３０に移行する。
一方、ステップＳ１０において、制御手段５０は、閾値自動制御が有効でないと判定した場合には（ステップＳ１０においてＮＯ）、ステップＳ５０に移行する。
【００２６】
ステップＳ３０において、制御手段５０は、温度センサ３０の検出温度が５℃以下であるか否かを判定する。
ステップＳ３０において、制御手段５０は、温度センサ３０の検出温度が５℃以下であると判定した場合には（ステップＳ３０においてＹＥＳ）、ステップＳ３１に移行する。
一方、ステップＳ３０において、制御手段５０は、温度センサ３０の検出温度が５℃以下でないと判定した場合には（ステップＳ３０においてＮＯ）、ステップＳ４０に移行する。ステップＳ４０において、制御手段５０は、閾値ｔｈをＸ１として、ステップＳ５０に移行する。ステップＳ５０において、制御手段５０は、操作手段１０の検出を開始する。
【００２７】
ステップＳ３１において、制御手段５０は、温度センサ３０の検出温度が−５℃以下であるか否か判定する。
ステップＳ３１において、制御手段５０は、温度センサ３０の検出温度が−５℃以下であると判定した場合には（ステップＳ３１においてＹＥＳ）、ステップＳ３２に移行する。ステップＳ３２において、制御手段５０は、閾値ｔｈをＸ３としてステップＳ５０に移行する。
一方、ステップＳ３１において、制御手段５０は、温度センサ３０の検出温度が−５℃以下でないと判定した場合には（ステップＳ３１においてＮＯ）、ステップＳ３３に移行する。ステップＳ３３において、制御手段５０は、閾値ｔｈをＸ２としてステップＳ５０に移行する。
【００２８】
なお、閾値Ｘ１，Ｘ２，Ｘ３の大小関係は、上述したように、Ｘ１＞Ｘ２＞Ｘ３となっている。また、ステップＳ３０及びステップＳ３１において判定する基準とする具体的な数値は、加熱調理器１００が設けられる環境に応じて数値を適宜決定することができる。
【００２９】
なお、以上の説明においては、加熱調理前にステップＳ１０〜ステップＳ５０を行う例について説明したが、これに限定されない。例えば、図６のように、ステップＳ１０〜ステップＳ５０に加えて、ステップＳ６０を追加した処理を行うようにしてもよい。
【００３０】
図６は本発明の実施の形態１に係る加熱調理器１００を示す制御フローチャートの第２の例を示す。以下に、本実施の形態１に係る加熱調理器１００の制御フローチャートの第２の例について、図６のステップＳ１０〜ステップＳ６０を参照して説明する。なお、図６のステップＳ１０〜ステップＳ４０は、図５のステップＳ１０〜ステップＳ４０と同一であるため、説明を割愛する。
【００３１】
図６に示されるように、例えば、ステップＳ５０において、制御手段５０が操作手段１０の操作を検出して、ステップＳ６０に移行する。
【００３２】
ステップＳ６０において、制御手段５０は加熱手段６０が新たに駆動されたか否かを判定する。
ステップＳ６０において、制御手段５０は加熱手段６０が新たに駆動されたと判定した場合には（ステップＳ６０においてＹＥＳ）、ステップＳ１０に移行する。
一方、ステップＳ６０において、制御手段５０は加熱手段６０が新たに駆動されなかったと判定した場合には（ステップＳ６０においてＮＯ）、ステップＳ５０に移行する。
【００３３】
このようにステップＳ６０を追加することで、制御手段５０は、加熱手段６０を駆動する前だけでなく加熱手段６０を駆動した後において閾値ｔｈを変更することができる。このため、加熱手段６０を駆動した後における環境温度が、加熱手段６０を駆動する前における環境温度と相違するような場合においても、閾値ｔｈを適切に調整することができる。したがって、従来よりも操作性の良い加熱調理器１００を得ることができる。
【００３４】
また、以上の説明においては、温度センサ３０が天板２の下方に設けられる例について説明したが、これに限定されない。温度センサ３０は、本体１の前面側又は本体１の背面側に設けられていてもよい。これにより、温度センサ３０は、被加熱物の調理を開始した後においても、被加熱物や加熱手段６０の温度の影響を受けにくくなる。したがって、温度センサ３０が天板２の下方に設けられる場合と比較して環境温度を正確に検出することができる。このようにして、制御手段５０は、温度センサ３０が天板２の下方に設けられる場合と比較して環境温度に応じて閾値ｔｈを適切に調整することができる。
【００３５】
以上のように、本実施の形態１に係る加熱調理器１００は、本体１と、本体１が設けられる空間の温度を検出する温度センサ３０と、本体１に設けられ、静電容量式の操作手段１０と、操作手段１０の操作内容に基づいて各種制御を行う制御手段５０と、を備え、制御手段５０は、操作手段１０の操作の有無を判定する基準となる閾値ｔｈを記憶し、操作手段１０を操作したときの静電容量の基準値からの変化値が閾値ｔｈを超えた場合に操作手段１０の操作を有効と判定するものであり、温度センサ３０の検出温度が相対的に高い場合における閾値ｔｈが温度センサ３０の検出温度が相対的に低い場合における閾値ｔｈよりも大きくなるように閾値ｔｈを調整する。このため、環境温度の変化に応じて操作手段１０の操作の反応感度を変化させることができる。したがって、従来よりも操作性の良い加熱調理器１００を得ることができる。
【００３６】
また、本実施の形態１に係る加熱調理器１００は、制御手段５０が、加熱手段６０を駆動させる前及び加熱手段６０を駆動させた後に閾値ｔｈを調整するものである。このため、加熱手段６０を駆動した後における環境温度が、加熱手段６０を駆動する前における環境温度と相違するような場合においても、閾値ｔｈを適切に調整することができる。したがって、従来よりも操作性の良い加熱調理器１００を得ることができる。
【００３７】
また、本実施の形態１に係る加熱調理器１００は、温度センサ３０は、本体１の前面側又は本体１の背面側に設けられている。このため、温度センサ３０は、被加熱物の調理を開始した後においても、被加熱物や加熱手段６０の温度の影響を受けにくくなる。したがって、環境温度を正確に検出することができる。このようにして、制御手段５０は、環境温度に応じて閾値ｔｈを適切に調整することができる。
【００３８】
なお、温度センサ３０に加えて湿度センサ（図示省略）を設け、制御手段５０は、温度センサ３０及び湿度センサの検出結果に基づいて閾値ｔｈを調整してもよい。このように構成することで、温度センサ３０のみに基づいて閾値ｔｈを調整する場合に比べて、環境に応じた適切な閾値ｔｈを設定することができる。
【００３９】
また、静電容量の基準値からの変化値は個人差があり、ある使用者が操作手段１０を操作した場合には、静電容量の基準値からの変化値が閾値ｔｈを超えるが、別の使用者が操作手段１０を操作した場合には、静電容量の基準値からの変化値が閾値ｔｈ以下となるような場合があり得る。したがって、ある使用者が操作手段１０を操作していた場合において、別の使用者が操作手段１０を操作するようになった場合には、使用者が手動で閾値Ｘ１，Ｘ２，Ｘ３を変更してもよい。具体的には例えば、加熱調理器１００を使用する使用者を変更した場合には、使用者が手動で閾値Ｘ１，Ｘ２，Ｘ３の全ての値に対して所定値を加算又は減算するようにしてもよい。
【００４０】
また、加熱手段６０を駆動した後においては、使用者や加熱調理器１００が設けられている空間の温度は上昇するため、加熱手段６０を駆動した後において閾値ｔｈを下げた場合には閾値ｔｈを下げる前の値に戻すようにしてもよい。
【符号の説明】
【００４１】
１  本体、２  天板、３  左加熱口、４  右加熱口、５  中央加熱口、８  上面操作部、９  前面操作部、１０  操作手段、３０  温度センサ、５０  制御手段、５０ａ  記憶手段、５９  インバータ回路、６０  加熱手段、７０  報知手段、１００  加熱調理器、Ｘ１，Ｘ２，Ｘ３，ｔｈ  閾値。
【図１】
2016196993.tif 000003
【図２】
2016196993.tif 000004
【図３】
2016196993.tif 000005
【図４】
2016196993.tif 000006
【図５】
2016196993.tif 000007
【図６】
2016196993.tif 000008